(57)【要約】【課題】金属製上下シェルが側面を溶接されて構成されたハウジング内に、ディスク型記録媒体が回転自在に収容されてなるディスクカートリッジにおいて、ハウジングを容易に分解できるようにする。【解決手段】上下シェル３，４の側面に２本の弱め線Ｌ，Ｌを略平行に形成し、ハウジングの分解時に、側面上の２本の弱め線Ｌ，Ｌに挟まれた帯状領域Ａを弱め線Ｌ，Ｌに沿って巻き上げ式に裂き取る。【選択図】　　　　　図１
2004079031.tif 000002
【特許請求の範囲】
【請求項１】
金属製上下シェルが側面を溶接されて構成されたハウジング内に、ディスク型記録媒体が回転自在に収容されてなるディスクカートリッジにおいて、
前記ハウジングの分解時に前記側面上の帯状領域を裂き取り得る２本の弱め線が、前記側面に略平行に形成されていることを特徴とするディスクカートリッジ。
【請求項２】
前記２本の弱め線に挟まれた前記帯状領域の一端にタブが一体に延設され、該タブを係止した巻上げ工具の巻上げ操作により前記帯状領域が裂き取られることを特徴とする請求項１記載のディスクカートリッジ。
【請求項３】
前記巻上げ工具が、前記タブを挿入係止し得るスリットを形成した棒状部を備えていることを特徴とする請求項２記載のディスクカートリッジ。
【発明の詳細な説明】
【０００１】
【発明の属する技術分野】
本発明は、互いに溶接された金属製上下シェルを備えたハウジング内に、ディスク型記録媒体が回転自在に収容されてなるディスクカートリッジに関し、特に、ハウジングの分解時に上下シェルの分離を容易にした構造に関するものである。
【０００２】
【従来の技術】
従来より、デジタルカメラ等のモバイル機器においては、記録媒体として例えば図３に概略的に示すような「ｃｌｉｋ！（登録商標）」と呼ばれる超小型の磁気ディスクカートリッジが使用されている。このディスクカートリッジ１は、幅５０ｍｍ、奥行き５５ｍｍ、厚さ１．９５ｍｍという寸法を有し、樹脂製のフレーム２と、金属素材（厚さ０．２ｍｍのステンレス鋼板）からなる上下シェル３，４を主部分とするハウジング内に、４０ＭＢの記憶容量を有する直径１．８インチ（４５．７ｍｍ）の磁気ディスクを回転自在に収容するとともに、上記ハウジングには、このカートリッジが装填されるドライブ装置が備えている磁気ヘッドを磁気ディスクの表面にアクセスさせるための開口６と、この開口６を開閉するロータリーシャッタ７とが設けられている。上下シェル３，４は、側面において双方のエッジを直線状に突き合わせ、この突合せ線に沿った１０箇所以上の部位Ｐでレーザー溶接されて組み立てられている。
【０００３】
【発明が解決しようとする課題】
ところで、使用済みのカートリッジを廃棄する場合には、金属とプラスチックとを分別廃棄しなければならないので、ハウジングを分解する必要がある。そこで従来は、互いに溶接された上下シェル３，４の溶接部を破壊することによりハウジングを分解していた。
【０００４】
しかしながら、溶接部を破壊してハウジングを分解するのには非常に手間と時間を要するため、より容易かつ速やかに分解することができるハウジング構造が望まれていた。
【０００５】
上述の事情に鑑み本発明は、上下シェルの溶接部を破壊することなく容易かつ速やかにハウジングを分解することができる構造を有するディスクカートリッジを提供することを目的とするものである。
【０００６】
【課題を解決するための手段】
本発明は、金属製上下シェルが側面を溶接されて構成されたハウジング内に、ディスク型記録媒体が回転自在に収容されてなるディスクカートリッジにおいて、
上記ハウジングの分解時に上記側面上の帯状領域を裂き取り得る２本の弱め線が、上記側面に略平行に形成されていることを特徴とするものである。
【０００７】
その場合、２本の弱め線に挟まれた帯状領域の一端にタブを一体に延設しておき、このタブを係止した巻上げ工具の巻上げ操作により上記帯状領域を裂き取るようにすることが好ましい。
【０００８】
上記巻上げ工具は、上記タブを挿入係止し得るスリットを形成した棒状部を備えていることが好ましい。
【０００９】
【発明の効果】
本発明によれば、ハウジングの分解時に上記帯状領域を裂き取り得る２本の弱め線が、シェルの側面に略平行に形成されていることにより、上下シェルの溶接部を破壊することなしに、ハウジングを容易かつ速やかに分解することができる。
【００１０】
この場合、２本の弱め線に挟まれた帯状領域の一端にタブを一体に形成しておけば、このタブを挿入係止し得るスリットを形成した棒状部を備えた巻上げ工具を用いることにより、コンビーフ缶を開缶するのと同じ要領で、上記帯状領域を巻上げ工具の棒状部の周囲に巻き取ることができ、ハウジングの分解が極めて容易になる。
【００１１】
【発明の実施の形態】
以下、本発明の実施の形態について、図面を参照して詳細に説明する。
【００１２】
図１は、本発明によるディスクカートリッジの一実施の形態の要部を巻上げ工具とともに概略的に示す拡大斜視図である。
【００１３】
図３に示すディスクカートリッジ１と同様に、ハウジングを構成する金属製の上シェル３と金属製の下シェル４とは、側面において双方のエッジを直線状に突き合わせ、この突合せ線５に沿った１０箇所以上の部位Ｐでレーザー溶接されて組み立てられている。上下シェル３，４の材質は、強度および入手性の観点からステンレス鋼板やアルミニウム合金板が好ましい。
【００１４】
上下シェル３，４の側面の外表面には、図２（ａ）の断面図に示すように、突合せ線５の両側のおいて、溝状の弱め線Ｌ，Ｌが突合せ線５と略平行に形成されて，突合せ線５および溶接部Ｐを含む帯状領域Ａが弱め線Ｌ，Ｌの内側に形成されている。
【００１５】
この帯状領域Ａの一端には、上シェル３および下シェル４のそれぞれの端縁から一体に延びるタブ３ａ，４ａが、突合せ線５の延長線に沿って互いに接する態様で形成されている。そして樹脂製のフレーム２の側面には、これらタブ３ａ，４ａをそれらの先端がフレーム２の側面から内方へ入り込んだ状態で収容するための凹部８が形成されて、タブ３ａ，４ａの存在がディスクカートリッジ１の操作に悪影響を与えないように配慮されている。
【００１６】
なお、弱め線Ｌ，Ｌに関しても、図２（ｂ）に示すように、上下シェル３，４の内表面に形成する方が好ましい。
【００１７】
図１においては、上下シェル３，４の上記弱め線Ｌ，Ｌに挟まれた帯状領域Ａを弱め線Ｌ，Ｌに沿って裂き取るための巻上げ工具１０，１０´が（ａ），（ｂ）で示すようにディスクカートリッジ１の傍らに示されている。図１（ａ）に示す巻上げ工具１０は、モータ等により回転駆動される軸部１１と、この軸部１１の一端に同軸的に固設された棒状部１２とからなり、棒状部１２の先端には、スリットＳを備えた扁平部１２ａが形成されている。
【００１８】
この巻上げ工具１０を使用する際には、先ずカートリッジハウジングの凹部８に入り込んだ上下シェル３，４のタブ３ａ，４ａを起こして，巻上げ工具１０のスリットＳに挿入可能としてタブ３ａ，４ａをスリットＳに挿入係止した後に、軸１１を矢印方向に回転させることにより、上下シェル３，４の側面が弱め線Ｌ，Ｌに沿って裂けるから、帯状領域Ａをコンビーフ缶を開缶するのと同じ要領で、帯状領域Ａを巻上げ工具１０の棒状部１２の周囲に巻き取ることができ、これによって、上下シェル３，４を分離させることができ、ハウジングの分解が極めて容易になる。
【００１９】
図１（ｂ）に示す巻上げ工具１０´は、軸部１１の代わりに指で操作し得るハンドル部１２´を備えており、この工具１０´を用いれば、帯状領域Ａを手で巻上げることができる。
【００２０】
なお、巻上げ工具１０，１０´の扁平部１２ａの先端は、マイナスドライバ状に尖らせておくことにより、タブ３ａ，４ａを凹部８から起こすのに使用することができる。
【００２１】
また、上記実施形態では、２本の弱め線Ｌ，Ｌを上下シェル３，４の突合せ線５を挟むように設けているが、２本の弱め線を上下シェルの一方にのみ平行に設けてもよい。
【図面の簡単な説明】
【図１】本発明によるディスクカートリッジの一実施の形態の要部を巻上げ工具とともに概略的に示す拡大斜視図
【図２】図１の要部の拡大断面図
【図３】従来のディスクカートリッジの全体構成を示す斜視図
【符号の説明】
１　　ディスクカートリッジ
２　　フレーム
３　　上シェル
３ａ　　タブ
４　　下シェル
４ａ　　タブ
５　　突合せ線
１０，１０´　　巻上げ工具
Ｐ　　溶接部
Ｌ　　弱め線
Ａ　　帯状領域
Ｓ　　スリット
【図１】
2004079031.tif 000003
【図２】
2004079031.tif 000004
【図３】
2004079031.tif 000005